(57)【特許請求の範囲】
【請求項１】
商品情報入力装置から、商品情報を取得する商品情報取得部と、
取得した前記商品情報をＰＯＳ端末が解釈可能な商品情報データに変換する商品情報変換部と、
前記商品情報データを、前記ＰＯＳ端末に出力する商品情報データ出力部と、
前記ＰＯＳ端末から、前記商品情報データに基づくレシート印刷データを取得するレシート印刷データ取得部と、
取得した前記レシート印刷データに含まれる前記商品情報が、プリペイドカードであるか否かを判別するレシート印刷データ判別部と、
前記レシート印刷データ判別部により、前記商品情報が前記プリペイドカードであると判別された場合、有効化サーバーに対し、前記商品情報を送信して有効化要求を行う有効化要求部と、を備えたことを特徴とするプリペイドカード処理装置。
【請求項２】
前記商品情報取得部により取得した前記商品情報が、有効化を必要とするプリペイドカードであるか否かを判別する商品情報判別部と、
前記商品情報判別部により、取得した前記商品情報が前記プリペイドカードであると判別された場合、当該商品情報を一時的に記憶する一時記憶部と、をさらに備え、
前記レシート印刷データ判別部は、取得した前記レシート印刷データに含まれる商品情報が前記一時記憶部に記憶されている場合、当該商品情報が前記プリペイドカードであると判別し、
前記有効化要求部は、前記一時記憶部に記憶されている前記商品情報を用いて有効化要求を行うことを特徴とする請求項１に記載のプリペイドカード処理装置。
【請求項３】
商品情報入力装置から、商品情報を取得する商品情報取得部と、
前記商品情報取得部により、無効化の対象となるプリペイドカードの商品情報を取得した場合、サーバーに対し、前記商品情報を送信して無効化要求を行う無効化要求部と、
前記サーバーから、前記無効化要求に対する承認を示す無効化メッセージを取得する無効化メッセージ取得部と、
前記無効化メッセージを取得した場合、前記プリペイドカードが無効化されたことを証明する無効化証明書を発行するための証明書印刷データを生成する証明書印刷データ生成部と、を備えたことを特徴とするプリペイドカード処理装置。
【請求項４】
商品情報入力装置から、商品情報を取得する商品情報取得部と、
前記商品情報取得部により、有効化の対象となるプリペイドカードの商品情報を取得した場合、当該商品情報をＰＯＳ端末が解釈可能な商品情報データに変換する商品情報変換部と、
前記商品情報データを、前記ＰＯＳ端末に出力する商品情報データ出力部と、
前記ＰＯＳ端末から、前記商品情報データに基づくレシート印刷データを取得するレシート印刷データ取得部と、
取得した前記レシート印刷データを、印刷装置に出力するレシート印刷データ出力部と、
前記商品情報取得部により、有効化の対象となる前記プリペイドカードの商品情報を取得した場合、有効化サーバーに対し、前記商品情報を送信して有効化要求を行う有効化要求部と、
前記有効化サーバーから、前記有効化要求に対する承認を示す有効化メッセージを取得する有効化メッセージ取得部と、
前記有効化メッセージを取得した場合、前記プリペイドカードが有効化されたことを証明する有効化証明書を発行するための証明書印刷データを生成する証明書印刷データ生成部と、
前記証明書印刷データを、前記印刷装置に出力する証明書印刷データ出力部と、を備え、
前記印刷装置は、前記証明書印刷データを、前記レシート印刷データに対し強調して印刷することを特徴とするプリペイドカード処理装置。
【請求項５】
商品情報入力装置から、商品情報を取得する商品情報取得部と、
前記商品情報取得部により、有効化の対象となるプリペイドカードの商品情報を取得した場合、当該商品情報をＰＯＳ端末が解釈可能な商品情報データに変換する商品情報変換部と、
前記商品情報データを、前記ＰＯＳ端末に出力する商品情報データ出力部と、
前記ＰＯＳ端末から、前記商品情報データに基づくレシート印刷データを取得するレシート印刷データ取得部と、
取得した前記レシート印刷データを、第１の印刷装置に出力するレシート印刷データ出力部と、
前記商品情報取得部により、有効化の対象となる前記プリペイドカードの商品情報を取得した場合、有効化サーバーに対し、前記商品情報を送信して有効化要求を行う有効化要求部と、
前記有効化サーバーから、前記有効化要求に対する承認を示す有効化メッセージを取得する有効化メッセージ取得部と、
前記有効化メッセージを取得した場合、前記プリペイドカードが有効化されたことを証明する有効化証明書を発行するための証明書印刷データを生成する証明書印刷データ生成部と、
前記証明書印刷データを、前記第１の印刷装置とは異なる第２の印刷装置に出力する証明書印刷データ出力部と、を備えたことを特徴とするプリペイドカード処理装置。
【請求項６】
プリペイドカード処理装置が、
商品情報入力装置から、商品情報を取得する商品情報取得ステップと、
取得した前記商品情報をＰＯＳ端末が解釈可能な商品情報データに変換する商品情報変換ステップと、
前記商品情報データを、前記ＰＯＳ端末に出力する商品情報データ出力ステップと、
前記ＰＯＳ端末から、前記商品情報データに基づくレシート印刷データを取得するレシート印刷データ取得ステップと、
取得した前記レシート印刷データに含まれる前記商品情報が、プリペイドカードであるか否かを判別するレシート印刷データ判別ステップと、
前記レシート印刷データ判別ステップにて、前記商品情報が前記プリペイドカードであると判別された場合、有効化サーバーに対し、前記商品情報を送信して有効化要求を行う有効化要求ステップと、を備えたことを特徴とするプリペイドカード処理装置の処理方法。
【請求項７】
プリペイドカード処理装置が、
商品情報入力装置から、商品情報を取得する商品情報取得ステップと、
前記商品情報取得ステップにて、無効化の対象となるプリペイドカードの商品情報を取得した場合、サーバーに対し、前記商品情報を送信して無効化要求を行う無効化要求ステップと、
前記サーバーから、前記無効化要求に対する承認を示す無効化メッセージを取得する無効化メッセージ取得ステップと、
前記無効化メッセージを取得した場合、前記プリペイドカードが無効化されたことを証明する無効化証明書を発行するための証明書印刷データを生成する証明書印刷データ生成ステップと、を備えたことを特徴とするプリペイドカード処理装置の処理方法。
【請求項８】
プリペイドカード処理装置が、
商品情報入力装置から、商品情報を取得する商品情報取得ステップと、
前記商品情報取得ステップにて、有効化の対象となるプリペイドカードの商品情報を取得した場合、当該商品情報をＰＯＳ端末が解釈可能な商品情報データに変換する商品情報変換ステップと、
前記商品情報データを、前記ＰＯＳ端末に出力する商品情報データ出力ステップと、
前記ＰＯＳ端末から、前記商品情報データに基づくレシート印刷データを取得するレシート印刷データ取得ステップと、
取得した前記レシート印刷データを、印刷装置に出力するレシート印刷データ出力ステップと、
前記商品情報取得ステップにて、有効化の対象となる前記プリペイドカードの商品情報を取得した場合、有効化サーバーに対し、前記商品情報を送信して有効化要求を行う有効化要求ステップと、
前記有効化サーバーから、前記有効化要求に対する承認を示す有効化メッセージを取得する有効化メッセージ取得ステップと、
前記有効化メッセージを取得した場合、前記プリペイドカードが有効化されたことを証明する有効化証明書を発行するための証明書印刷データを生成する証明書印刷データ生成ステップと、
前記証明書印刷データを、前記印刷装置に出力する証明書印刷データ出力ステップと、を備え、
前記印刷装置は、前記証明書印刷データを、前記レシート印刷データに対し強調して印刷することを特徴とするプリペイドカード処理装置の処理方法。
【請求項９】
プリペイドカード処理装置が、
商品情報入力装置から、商品情報を取得する商品情報取得ステップと、
前記商品情報取得ステップにて、有効化の対象となるプリペイドカードの商品情報を取得した場合、当該商品情報をＰＯＳ端末が解釈可能な商品情報データに変換する商品情報変換ステップと、
前記商品情報データを、前記ＰＯＳ端末に出力する商品情報データ出力ステップと、
前記ＰＯＳ端末から、前記商品情報データに基づくレシート印刷データを取得するレシート印刷データ取得ステップと、
取得した前記レシート印刷データを、第１の印刷装置に出力するレシート印刷データ出力ステップと、
前記商品情報取得ステップにて、有効化の対象となる前記プリペイドカードの商品情報を取得した場合、有効化サーバーに対し、前記商品情報を送信して有効化要求を行う有効化要求ステップと、
前記有効化サーバーから、前記有効化要求に対する承認を示す有効化メッセージを取得する有効化メッセージ取得ステップと、
前記有効化メッセージを取得した場合、前記プリペイドカードが有効化されたことを証明する有効化証明書を発行するための証明書印刷データを生成する証明書印刷データ生成ステップと、
前記証明書印刷データを、前記第１の印刷装置とは異なる第２の印刷装置に出力する証明書印刷データ出力ステップと、を備えたことを特徴とするプリペイドカード処理装置の処理方法。
【発明の詳細な説明】
【技術分野】
【０００１】
プリペイドカードを有効化する有効化サーバーと接続されて用いられ、当該プリペイドカードの有効化要求を行うプリペイドカード処理装置、プリペイドカード処理装置の処理方法に関するものである。
【背景技術】
【０００２】
従来、有効化サーバーにより管理され、当該有効化サーバーによる有効化処理によって価値化されるプリペイドカード（以下、「管理型プリペイドカード」と称する）が知られている（例えば、特許文献１）。一般的な商品券やプリペイドカード（従来のテレフォンカードなど）が、既に「価値ある状態」で流通しているのに対し、当該管理型プリペイドカードは、ＰＯＳ端末で売上が発生したときに有効化され、「価値ある状態」となる。このため、盗難や紛失のリスクがなく、在庫管理の負担が少ないといったメリットがある。また、米国などでは、ギフトアイテム、販促ツールとしても広く認知され、スーパー、ドラッグストアー、ショッピングセンターなどあらゆる場所で、多種多様な管理型プリペイドカードが販売されている。
【先行技術文献】
【特許文献】
【０００３】
【特許文献１】米国特許００５７７７３０５号公報
【発明の概要】
【発明が解決しようとする課題】
【０００４】
一方、管理型プリペイドカードのデメリットとして、処理システム導入に要するコスト負担が挙げられる。上記の通り、管理型プリペイドカードの販売時には、ＰＯＳ端末において、有効化サーバーに対する有効化要求処理が必要となるため、ＰＯＳシステムの入れ替え、若しくはＰＯＳ端末やストアコンピューターのプログラム変更など、管理型プリペイドカードの処理システム導入に際し、多額のコストがかかってしまう。このため、多くのメリットを有する商品であるにも拘らず、管理型プリペイドカードの販売を断念せざるを得ない小売店も多い。
【０００５】
本発明は、上記の問題点に鑑み、ＰＯＳシステムの入れ替え等を必要とすることなく、低コストで、管理型プリペイドカードの処理システムを導入可能なプリペイドカード処理装置、プリペイドカード処理装置の処理方法を提供することを目的とする。
【課題を解決するための手段】
【０００６】
本発明のプリペイドカード処理装置は、商品情報入力装置から、商品情報を取得する商品情報取得部と、取得した商品情報をＰＯＳ端末が解釈可能な商品情報データに変換する商品情報変換部と、商品情報データを、ＰＯＳ端末に出力する商品情報データ出力部と、ＰＯＳ端末から、商品情報データに基づくレシート印刷データを取得するレシート印刷データ取得部と、取得したレシート印刷データに含まれる商品情報が、プリペイドカードであるか否かを判別するレシート印刷データ判別部と、レシート印刷データ判別部により、商品情報がプリペイドカードであると判別された場合、有効化サーバーに対し、商品情報を送信して有効化要求を行う有効化要求部と、を備えたことを特徴とする。
上記のプリペイドカード処理装置において、商品情報取得部により取得した商品情報が、有効化を必要とするプリペイドカードであるか否かを判別する商品情報判別部と、商品情報判別部により、取得した商品情報がプリペイドカードであると判別された場合、当該商品情報を一時的に記憶する一時記憶部と、をさらに備え、レシート印刷データ判別部は、取得したレシート印刷データに含まれる商品情報が一時記憶部に記憶されている場合、当該商品情報がプリペイドカードであると判別し、有効化要求部は、一時記憶部に記憶されている商品情報を用いて有効化要求を行うことが好ましい。
本発明のプリペイドカード処理装置は、商品情報入力装置から、商品情報を取得する商品情報取得部と、商品情報取得部により、無効化の対象となるプリペイドカードの商品情報を取得した場合、サーバーに対し、商品情報を送信して無効化要求を行う無効化要求部と、サーバーから、無効化要求に対する承認を示す無効化メッセージを取得する無効化メッセージ取得部と、無効化メッセージを取得した場合、プリペイドカードが無効化されたことを証明する無効化証明書を発行するための証明書印刷データを生成する証明書印刷データ生成部と、を備えたことを特徴とする。
本発明のプリペイドカード処理装置は、商品情報入力装置から、商品情報を取得する商品情報取得部と、商品情報取得部により、有効化の対象となるプリペイドカードの商品情報を取得した場合、当該商品情報をＰＯＳ端末が解釈可能な商品情報データに変換する商品情報変換部と、商品情報データを、ＰＯＳ端末に出力する商品情報データ出力部と、ＰＯＳ端末から、商品情報データに基づくレシート印刷データを取得するレシート印刷データ取得部と、取得したレシート印刷データを、印刷装置に出力するレシート印刷データ出力部と、商品情報取得部により、有効化の対象となるプリペイドカードの商品情報を取得した場合、有効化サーバーに対し、商品情報を送信して有効化要求を行う有効化要求部と、有効化サーバーから、有効化要求に対する承認を示す有効化メッセージを取得する有効化メッセージ取得部と、有効化メッセージを取得した場合、プリペイドカードが有効化されたことを証明する有効化証明書を発行するための証明書印刷データを生成する証明書印刷データ生成部と、証明書印刷データを、印刷装置に出力する証明書印刷データ出力部と、を備え、印刷装置は、証明書印刷データを、レシート印刷データに対し強調して印刷することを特徴とする。
本発明のプリペイドカード処理装置は、商品情報入力装置から、商品情報を取得する商品情報取得部と、商品情報取得部により、有効化の対象となるプリペイドカードの商品情報を取得した場合、当該商品情報をＰＯＳ端末が解釈可能な商品情報データに変換する商品情報変換部と、商品情報データを、ＰＯＳ端末に出力する商品情報データ出力部と、ＰＯＳ端末から、商品情報データに基づくレシート印刷データを取得するレシート印刷データ取得部と、取得したレシート印刷データを、第１の印刷装置に出力するレシート印刷データ出力部と、商品情報取得部により、有効化の対象となるプリペイドカードの商品情報を取得した場合、有効化サーバーに対し、商品情報を送信して有効化要求を行う有効化要求部と、有効化サーバーから、有効化要求に対する承認を示す有効化メッセージを取得する有効化メッセージ取得部と、有効化メッセージを取得した場合、プリペイドカードが有効化されたことを証明する有効化証明書を発行するための証明書印刷データを生成する証明書印刷データ生成部と、証明書印刷データを、第１の印刷装置とは異なる第２の印刷装置に出力する証明書印刷データ出力部と、を備えたことを特徴とする。
本発明のプリペイドカード処理装置の処理方法は、プリペイドカード処理装置が、商品情報入力装置から、商品情報を取得する商品情報取得ステップと、取得した商品情報をＰＯＳ端末が解釈可能な商品情報データに変換する商品情報変換ステップと、商品情報データを、ＰＯＳ端末に出力する商品情報データ出力ステップと、ＰＯＳ端末から、商品情報データに基づくレシート印刷データを取得するレシート印刷データ取得ステップと、取得したレシート印刷データに含まれる商品情報が、プリペイドカードであるか否かを判別するレシート印刷データ判別ステップと、レシート印刷データ判別ステップにて、商品情報がプリペイドカードであると判別された場合、有効化サーバーに対し、商品情報を送信して有効化要求を行う有効化要求ステップと、を備えたことを特徴とする。
本発明のプリペイドカード処理装置の処理方法は、プリペイドカード処理装置が、商品情報入力装置から、商品情報を取得する商品情報取得ステップと、商品情報取得ステップにて、無効化の対象となるプリペイドカードの商品情報を取得した場合、サーバーに対し、商品情報を送信して無効化要求を行う無効化要求ステップと、サーバーから、無効化要求に対する承認を示す無効化メッセージを取得する無効化メッセージ取得ステップと、無効化メッセージを取得した場合、プリペイドカードが無効化されたことを証明する無効化証明書を発行するための証明書印刷データを生成する証明書印刷データ生成ステップと、を備えたことを特徴とする。
本発明のプリペイドカード処理装置の処理方法は、プリペイドカード処理装置が、商品情報入力装置から、商品情報を取得する商品情報取得ステップと、商品情報取得ステップにて、有効化の対象となるプリペイドカードの商品情報を取得した場合、当該商品情報をＰＯＳ端末が解釈可能な商品情報データに変換する商品情報変換ステップと、商品情報データを、ＰＯＳ端末に出力する商品情報データ出力ステップと、ＰＯＳ端末から、商品情報データに基づくレシート印刷データを取得するレシート印刷データ取得ステップと、取得したレシート印刷データを、印刷装置に出力するレシート印刷データ出力ステップと、商品情報取得ステップにて、有効化の対象となるプリペイドカードの商品情報を取得した場合、有効化サーバーに対し、商品情報を送信して有効化要求を行う有効化要求ステップと、有効化サーバーから、有効化要求に対する承認を示す有効化メッセージを取得する有効化メッセージ取得ステップと、有効化メッセージを取得した場合、プリペイドカードが有効化されたことを証明する有効化証明書を発行するための証明書印刷データを生成する証明書印刷データ生成ステップと、証明書印刷データを、印刷装置に出力する証明書印刷データ出力ステップと、を備え、印刷装置は、証明書印刷データを、レシート印刷データに対し強調して印刷することを特徴とする。
本発明のプリペイドカード処理装置の処理方法は、プリペイドカード処理装置が、商品情報入力装置から、商品情報を取得する商品情報取得ステップと、商品情報取得ステップにて、有効化の対象となるプリペイドカードの商品情報を取得した場合、当該商品情報をＰＯＳ端末が解釈可能な商品情報データに変換する商品情報変換ステップと、商品情報データを、ＰＯＳ端末に出力する商品情報データ出力ステップと、ＰＯＳ端末から、商品情報データに基づくレシート印刷データを取得するレシート印刷データ取得ステップと、取得したレシート印刷データを、第１の印刷装置に出力するレシート印刷データ出力ステップと、商品情報取得ステップにて、有効化の対象となるプリペイドカードの商品情報を取得した場合、有効化サーバーに対し、商品情報を送信して有効化要求を行う有効化要求ステップと、有効化サーバーから、有効化要求に対する承認を示す有効化メッセージを取得する有効化メッセージ取得ステップと、有効化メッセージを取得した場合、プリペイドカードが有効化されたことを証明する有効化証明書を発行するための証明書印刷データを生成する証明書印刷データ生成ステップと、証明書印刷データを、第１の印刷装置とは異なる第２の印刷装置に出力する証明書印刷データ出力ステップと、を備えたことを特徴とする。
なお、以下の構成としても良い。
本発明のプリペイドカード処理装置は、プリペイドカードを有効化する有効化サーバー、当該プリペイドカードを含む商品の商品情報を入力する商品情報入力装置、および当該プリペイドカードを含む商品の会計処理を行うＰＯＳ端末と接続されて用いられるプリペイドカード処理装置であって、商品情報入力装置から、商品情報を取得する商品情報取得部と、取得した商品情報が、有効化を必要とするプリペイドカードであるか否かを判別する商品情報判別部と、商品情報がプリペイドカードである場合、当該商品情報をＰＯＳ端末が解釈可能な商品情報データに変換する商品情報変換部と、商品情報データを、ＰＯＳ端末に出力する商品情報データ出力部と、商品情報がプリペイドカードである場合、有効化サーバーに対し、商品情報を送信して有効化要求を行う有効化要求部と、を備えたことを特徴とする。
【０００７】
本発明のプリペイドカード処理装置の処理方法は、プリペイドカードを有効化する有効化サーバー、当該プリペイドカードを含む商品の商品情報を入力する商品情報入力装置、および当該プリペイドカードを含む商品の会計処理を行うＰＯＳ端末と接続されて用いられるプリペイドカード処理装置の処理方法であって、プリペイドカード処理装置が、商品情報入力装置から、商品情報を取得する商品情報取得ステップと、取得した商品情報が、有効化を必要とするプリペイドカードであるか否かを判別する商品情報判別ステップと、商品情報がプリペイドカードである場合、当該商品情報をＰＯＳ端末が解釈可能な商品情報データに変換する商品情報変換ステップと、商品情報データを、ＰＯＳ端末に出力する商品情報データ出力ステップと、商品情報がプリペイドカードである場合、有効化サーバーに対し、商品情報を送信して有効化要求を行う有効化要求ステップと、を備えたことを特徴とする。
【０００８】
これらの構成によれば、ＰＯＳ端末と商品情報入力装置（バーコードスキャナーなど）の間に、プリペイドカード処理装置を介在させることで、有効化サーバーに対する有効化要求処理を実現できる。これにより、ＰＯＳシステムの入れ替え、若しくはＰＯＳ端末やストアコンピューターのプログラム変更などを必要とすることなく、低コストで、管理型プリペイドカード（有効化を必要とするプリペイドカード）の処理システムを導入することができる。また、プリペイドカードの商品情報を、ＰＯＳ端末が解釈可能な商品情報データに変換する変換機能を有するため、ＰＯＳ端末側に、プリペイドカードの商品情報（一般的には、商品コード１６bit＋シリアル番号１６bitの合計３２bitの情報）を認識する機能を必要としない。つまり、商品情報を認識するためのＰＯＳ端末側プログラムの変更も不要となる。また、バーコードスキャナー、磁気カードリーダー、ＭＩＣＲ（Magnetic  ink  character  reader）、ＲＦＩＤ（Radio  Frequency  IDentification）リーダーなど、種々の商品情報入力装置による商品情報の入力が可能となり、汎用性を高めることができる。
【０００９】
上記に記載のプリペイドカード処理装置において、有効化サーバーから、有効化要求に対する承認を示す有効化メッセージを取得する有効化メッセージ取得部をさらに備え、商品情報変換部は、有効化メッセージの取得後に、商品情報を商品情報データに変換することが好ましい。
【００１０】
この構成によれば、有効化を確認した後、商品情報データをＰＯＳ端末に出力するため、仮に管理型プリペイドカードの有効化が認証されなかった場合、当該管理型プリペイドカードの会計処理を取り消すなど、先にＰＯＳ端末による会計処理を行った場合に生じる不具合がない。
【００１１】
上記に記載のプリペイドカード処理装置において、レシートを発行する印刷装置とさらに接続されて用いられ、ＰＯＳ端末から、商品情報データに基づくレシート印刷データを取得するレシート印刷データ取得部と、取得したレシート印刷データを、印刷装置に出力するレシート印刷データ出力部と、をさらに備えたことが好ましい。
【００１２】
この構成によれば、ＰＯＳ端末、商品情報入力装置および印刷装置の間に、プリペイドカード処理装置を介在させることで、本発明を実現できる。
【００１３】
上記に記載のプリペイドカード処理装置において、ＰＯＳ端末から、商品情報データに基づくレシート印刷データを取得するレシート印刷データ取得部と、取得したレシート印刷データに含まれる商品情報が、プリペイドカードであるか否かを判別するレシート印刷データ判別部と、をさらに備え、有効化要求部は、レシート印刷データ判別部により、商品情報がプリペイドカードであると判別された場合、有効化要求を行うことが好ましい。
【００１４】
この構成によれば、ＰＯＳ端末からレシート印刷データを取得した後、有効化サーバーに対する有効化要求を行うため、有効化要求処理だけ行って会計処理を行わない、といった不具合がない。例えば、ＰＯＳ端末とプリペイドカード処理装置が近接した位置関係にあれば、このような問題は発生し難いが、ＰＯＳ端末とプリペイドカード処理装置が離れた位置に配置されている場合などは、有効化された状態（いわゆる「価値ある状態」）のプリペイドカードが会計処理前に盗難されたり、紛失したりする危険性が高くなるため、そのような被害を防止できる。
【００１５】
上記に記載のプリペイドカード処理装置において、商品情報判別部により、取得した商品情報がプリペイドカードであると判別された場合、当該商品情報を一時的に記憶する一時記憶部をさらに備え、レシート印刷データ判別部は、取得したレシート印刷データに含まれる商品情報が一時記憶部に記憶されている場合、商品情報がプリペイドカードであると判別し、有効化要求部は、一時記憶部に記憶されている商品情報を用いて有効化要求を行うことが好ましい。
【００１６】
この構成によれば、取得した商品情報を一時記憶部に記憶しておき、レシート印刷データの取得後に、当該レシート印刷データに含まれる商品情報と、一時記憶部に記憶されている商品情報とを照合するため、予め管理型プリペイドカードを判別するためのカード情報データベースを備えていなくても、正確に販売商品の中に管理型プリペイドカードが含まれることを判別できる。
【００１７】
上記に記載のプリペイドカード処理装置において、レシートを発行する印刷装置とさらに接続されて用いられ、取得したレシート印刷データを、印刷装置に出力するレシート印刷データ出力部をさらに備えたことが好ましい。
【００１８】
この構成によれば、ＰＯＳ端末、商品情報入力装置および印刷装置の間に、プリペイドカード処理装置を介在させることで、本発明を実現できる。
【００１９】
上記に記載のプリペイドカード処理装置において、有効化サーバーから、有効化要求に対する承認を示す有効化メッセージを取得する有効化メッセージ取得部と、有効化メッセージを取得したことを報知する有効化メッセージ報知部と、をさらに備えたことが好ましい。
【００２０】
この構成によれば、プリペイドカード処理装置が有効化メッセージの取得を報知するため、店員（ＰＯＳ端末のオペレーター）および顧客が、有効化の完了を確認することができる。
なお、有効化メッセージ報知部は、表示装置へのテキスト表示、ＬＥＤの点灯、電子音の発生などによって、有効化の完了を報知することが好ましい。
【００２１】
上記に記載のプリペイドカード処理装置において、有効化メッセージを取得した場合、プリペイドカードが有効化されたことを証明する有効化証明書を発行するための証明書印刷データを生成する証明書印刷データ生成部と、証明書印刷データを、印刷装置に出力する証明書印刷データ出力部と、をさらに備えたことが好ましい。
【００２２】
この構成によれば、有効化証明書の発行により、顧客に対し、明確に管理型プリペイドカードの有効化を証明することができる。
なお、有効化証明書には、管理型プリペイドカードの商品名、商品コード、シリアル番号、有効価格（額面価格）、有効期限、有効化された日時、有効化された店舗などの項目が印刷されることが好ましい。
【００２３】
上記に記載のプリペイドカード処理装置において、商品情報取得部により、無効化の対象となるプリペイドカードの商品情報を取得した場合、有効化サーバーに対し、商品情報を送信して無効化要求を行う無効化要求部と、有効化サーバーから、無効化要求に対する承認を示す無効化メッセージを取得する無効化メッセージ取得部と、をさらに備え、証明書印刷データ生成部は、無効化メッセージを取得した場合、プリペイドカードが無効化されたことを証明する無効化証明書を発行するための証明書印刷データを生成することが好ましい。
【００２４】
この構成によれば、管理型プリペイドカードが返品された場合などに、管理型プリペイドカードの無効化要求処理を行うことができる。また、無効化証明書の発行により、顧客に対し、明確に管理型プリペイドカードの無効化を証明することができる。
【００２５】
本発明の装着ボードは、上記に記載のプリペイドカード処理装置における各部を備え、印刷装置に対し、着脱可能に構成されたことを特徴とする。
【００２６】
この構成によれば、プリペイドカード処理装置を装着ボードで実現することにより設置面積を必要としないため、省スペース化を図ることができる。また、システム構成を簡素化することができる。
【００２７】
本発明のプリペイドカード処理システムは、上記に記載のプリペイドカード処理装置と、印刷装置と、を備えたことを特徴とする。
【００２８】
本発明のプログラムは、コンピューターに、上記に記載のプリペイドカード処理装置の処理方法における各ステップを実行させることを特徴とする。
【００２９】
これらの構成によれば、ＰＯＳシステムの入れ替え等を必要とすることなく、低コストで、管理型プリペイドカードの処理システムを導入可能なプリペイドカード処理システムおよびプリペイドカード処理装置の処理方法を実現できる。
【００３０】
上記に記載のプリペイドカード処理システムにおいて、印刷装置は、レシート印刷データと証明書印刷データを、１枚のレシートとして発行することが好ましい。
【００３１】
この構成によれば、会計レシートと有効化証明書、または返品レシートと無効化証明書を１枚のレシートとして発行するため、それぞれを個別に発行する場合と比較して、レシート用紙の使用量を軽減し、省資源化を図ることができる。また、複数枚のレシートを発行することによる店員のレシート渡し忘れも防止できる。
なお、レシート印刷データと証明書印刷データの合成は、プリペイドカード処理装置側で行っても良いし、印刷装置側で行っても良い。
【００３２】
上記に記載のプリペイドカード処理システムにおいて、証明書印刷データは、レシート印刷データに対し強調して印刷されることが好ましい。
【００３３】
この構成によれば、顧客に対し、重要な情報である、有効化証明書または無効化証明書の確認を促すことができる。
なお、「強調して印刷する」とは、太字印刷、カラー印刷、下線付き印刷、囲み枠付印刷など、所定の文字飾りを施したり、証明書印刷データの印刷領域に装飾を施したりすることである。
【００３４】
上記に記載のプリペイドカード処理システムにおいて、印刷装置として、第１の印刷装置と、第２の印刷装置と、を備え、レシート印刷データ出力部は、第１の印刷装置に対してレシート印刷データを出力し、証明書印刷データ出力部は、第２の印刷装置に対して証明書印刷データを出力することが好ましい。
【００３５】
この構成によれば、会計レシートと証明書とを別個の印刷装置で発行するため、それぞれに適した印刷を行うことができる。例えば、会計レシートをモノクロ印刷し、証明書をカラー印刷する、などが考えられる。
【００３６】
上記に記載のプリペイドカード処理システムにおいて、証明書印刷データ出力部は、第１の印刷装置および第２の印刷装置の両方に対して、証明書印刷データを出力することが好ましい。
【００３７】
この構成によれば、第１の印刷装置および第２の印刷装置の両方から証明書が発行されるため、いずれか一方を、ギフト梱包用として利用することができる。
なお、プリペイドカード処理システムに所定の操作子を設け、当該所定の操作子による操作が行われた場合のみ、第１の印刷装置および第２の印刷装置の両方から証明書を発行する構成としても良い。また、有効化証明書の場合には、第１の印刷装置および第２の印刷装置の両方から発行し、無効化証明書の場合には、いずれか一方の印刷装置からのみ発行する構成としても良い。
【図面の簡単な説明】
【００３８】
【図１】会計システムのシステム構成図である。
【図２】第１実施形態に係る装着ボードの機能ブロック図である。
【図３】（ａ）は、会計レシートの一例を示し、（ｂ）は、有効化証明書の一例を示す図である。
【図４】合成レシートの一例を示す図である。
【図５】第１実施形態に係るプリペイドカード処理を示すフローチャートである。
【図６】図５に続く、フローチャートである。
【図７】図５および図６に続く、フローチャートである。
【図８】ギフト用有効化証明書の一例を示す図である。
【図９】第２実施形態に係る装着ボードの機能ブロック図である。
【図１０】第２実施形態に係るプリペイドカード処理を示すフローチャートである。
【図１１】図１０に続く、フローチャートである。
【図１２】図１０および図１１に続く、フローチャートである。
【図１３】会計システムの変形例を示すシステム構成図である。
【発明を実施するための形態】
【００３９】
［第１実施形態］
以下、添付の図面を参照し、本発明のプリペイドカード処理装置、プリペイドカード処理装置の処理方法について説明する。なお、以下に示す各実施形態では、本発明のプリペイドカード処理装置等を、小売店の会計システムＳＹに適用した場合について例示する。
【００４０】
図１は、第１実施形態に係る会計システムＳＹのシステム構成図である。同図に示すように、会計システムＳＹは、レシートプリンター１０、ＰＯＳ端末２０、商品情報管理サーバー３０、バーコードスキャナー４０（商品情報入力装置）、ＬＡＮ５０および有効化サーバー６０を備えている。
【００４１】
レシートプリンター１０は、プリンター本体１１（印刷装置）と、これに装着される装着ボード１２と、から成る。プリンター本体１１は、レシートＲ（図３，図４参照）を発行するための各種機構（印刷機構、用紙搬送機構、用紙切断機構、これらを制御する制御機構など）を備えている。また、装着ボード１２は、拡張インターフェースボードであり、「プリペイドカード処理装置」として機能する。また、レシートプリンター１０は、「プリペイドカード処理システム」として機能する。
【００４２】
装着ボード１２は、ＰＯＳ端末２０と接続されるＰＯＳ用インターフェイス７１、バーコードスキャナー４０およびＬＡＮ５０と接続される周辺機器用インターフェイス７２、プリンター本体１１と接続されるプリンター用インターフェイス７３、を備えている。なお、特に図示しないが、周辺機器用インターフェイス７２は、周辺機器ごとに専用のインターフェイスが設けられる。また、ＰＯＳ用インターフェイス７１についても、入力用と出力用とで、異なるインターフェイスを設けても良い。
【００４３】
装着ボード１２は、制御部７４、カード情報データベース７５（プリペイドカード記憶部）およびＬＥＤ（Light  Emitting  Diode）７６を備えている。制御部７４は、中央演算処理装置であるＣＰＵ（Central  Processing  Unit）８１、ＣＰＵ８１が各種制御を行うための制御プログラムおよび制御データを記憶するＲＯＭ（Read  Only  Memory）８２、ＣＰＵ８１が各種制御を行うためのワークエリアとして用いられるＲＡＭ（Random  Access  Memory）８３、および一時記憶領域として用いられるバッファ８４を含む。カード情報データベース７５は、有効化サーバー６０により管理され、当該有効化サーバー６０による有効化処理によって価値化される管理型プリペイドカードＣの、商品コードおよび商品名の一覧を記憶する。また、ＬＥＤ７６は、有効化サーバー６０により有効化が認証された場合（有効化メッセージを取得した場合）、または認証されなかった場合に、点灯または点滅によってその旨を表示する。また、ＲＯＭ８２に記憶される制御プログラムとしては、管理型プリペイドカードＣを判別したり証明書を発行したりするためのプリペイドカード処理プログラム、ＰＯＳ端末２０との情報入出力を行うための入出力制御プログラム、有効化サーバー６０と通信を行うための通信制御プログラムなどが含まれる。
【００４４】
一方、バーコードスキャナー４０は、商品（管理型プリペイドカードＣを含む）に貼付または印刷された商品バーコードを読み取る。また、有効化サーバー６０は、ＬＡＮ５０およびインターネット等のネットワークを介して、レシートプリンター１０（装着ボード１２）と接続される。当該有効化サーバー６０は、市場に流通している管理型プリペイドカードＣを管理するものであり、その管理情報を記憶する管理情報データベース６１を有している。管理情報データベース６１は、各管理型プリペイドカードＣのシリアル番号、ステータス（有効状態or無効状態）、利用履歴、残高、有効期限などを記憶する。
【００４５】
また、有効化サーバー６０は、装着ボード１２から、管理型プリペイドカードＣの有効化要求を受信した場合、管理情報データベース６１を参照して承認／非承認を判別し、承認した場合は、有効化メッセージを返信する。有効化要求を承認しない場合とは、その管理型プリペイドカードＣのシリアル番号が管理情報データベース６１内に存在しない場合や、既に有効化されている場合、不正利用履歴が存在する場合などである。また、装着ボード１２から、管理型プリペイドカードＣの無効化要求を受信した場合も、管理情報データベース６１を参照して承認／非承認を判別し、承認した場合は、無効化メッセージを返信する。なお、無効化要求は、管理型プリペイドカードＣが返品された場合などに行われる。また、無効化要求を承認しない場合とは、その管理型プリペイドカードＣのシリアル番号が管理情報データベース６１内に存在しない場合や、既に無効化されている場合などである。
【００４６】
ＰＯＳ端末２０は、ＰＯＳアプリケーション２１を有し、会計処理（精算処理および返品処理を含む）を行う。また、商品情報管理サーバー３０は、各種商品の商品名、商品コード、価格等を関連付けて記憶する商品情報データベース３１を有している。当該商品情報データベース３１には、管理型プリペイドカードＣの商品情報も記憶されている。ＰＯＳ端末２０は、装着ボード１２を介してバーコードスキャナー４０の読取結果（スキャナーデータ）を取得すると、商品情報データベース３１を参照し、会計レシートＲ１（図３（ａ）参照）を発行するためのレシート印刷データを生成する。また、生成したレシート印刷データを、レシートプリンター１０（装着ボード１２）に出力する。
【００４７】
次に、図２を参照し、装着ボード１２の機能構成について説明する。装着ボード１２は、主な機能構成として、商品情報取得部１０１、商品情報判別部１０２、有効化要求部１０３、有効化メッセージ取得部１０４、有効化メッセージ報知部１０５、無効化要求部１０６、無効化メッセージ取得部１０７、商品情報変換部１０８、商品情報データ出力部１０９、レシート印刷データ取得部１１０、証明書印刷データ生成部１１１、印刷データ合成部１１２、印刷データ出力部１１３（レシート印刷データ出力部，証明書印刷データ出力部）を備えている。
【００４８】
商品情報取得部１０１は、バーコードスキャナー４０から、商品バーコードの読み取り結果である商品情報を取得する。なお、一般的な商品については、１６bitの商品コードを取得する。また、管理型プリペイドカードＣについては、１６bitの商品コードと、１６bitのシリアル番号、合計３２bitの情報を取得する。なお、商品情報取得部１０１は、バーコードスキャナー４０以外にも、磁気カードリーダー、ＭＩＣＲ（Magnetic  ink  character  reader）、ＲＦＩＤ（Radio  Frequency  IDentification）リーダーなど、種々の商品情報入力装置から商品情報を取得可能である。
【００４９】
商品情報判別部１０２は、商品情報取得部１０１により取得された商品情報が、管理型プリペイドカードＣであるか否かを判別する。具体的には、商品情報（商品情報に含まれる商品コード）が、カード情報データベース７５に記憶されている場合、管理型プリペイドカードＣであると判別する。
【００５０】
有効化要求部１０３は、商品情報判別部１０２により、取得した商品情報が管理型プリペイドカードＣであると判別された場合、有効化サーバー６０に対し、商品情報（商品コードおよびシリアル番号）を送信して有効化要求を行う。また、有効化メッセージ取得部１０４は、有効化サーバー６０から、有効化要求に対する承認を示す有効化メッセージを取得する。また、有効化メッセージ報知部１０５は、有効化メッセージ取得部１０４により有効化メッセージを取得したとき、ＬＥＤ７６を数秒間程度点灯する。なお、ＬＥＤ７６は、有効化サーバー６０から非認証の通知を受けた場合、数秒間程度点滅する。
【００５１】
無効化要求部１０６は、商品情報取得部１０１により、無効化の対象となる管理型プリペイドカードＣの商品情報を取得した場合、有効化サーバー６０に対し、商品情報（商品コードおよびシリアル番号）を送信して無効化要求を行う。なお、無効化の対象であるか否かは、バーコードスキャナー４０や不図示のキーボードなどから入力される返品コードに続けて管理型プリペイドカードＣの商品情報を取得した場合、無効化の対象であると判別する。また、無効化メッセージ取得部１０７は、有効化サーバー６０から、無効化要求に対する承認を示す無効化メッセージを取得する。
【００５２】
商品情報変換部１０８は、商品情報取得部１０１により取得された商品情報が、管理型プリペイドカードＣである場合、当該商品情報をＰＯＳ端末２０が解釈可能な商品情報データに変換する。本実施形態では、ＰＯＳ端末２０が商品コード１６bitの入力のみ対応しているものとする。したがって、１６bitの商品コードと、１６bitのシリアル番号から成る管理型プリペイドカードＣの商品情報を取得した場合は、１６bitの商品コードのみの商品情報データに変換する。また、バーコードスキャナー４０以外の商品情報入力装置から商品情報を取得した場合も、その商品情報を商品情報データ（１６bitの商品コード）に変換する。なお、本実施形態において、商品情報変換部１０８は、有効化メッセージまたは無効化メッセージの取得後に、変換を行うものとする。
【００５３】
商品情報データ出力部１０９は、商品情報変換部１０８による変換後のデータである商品情報データを、ＰＯＳ端末２０に出力する。また、レシート印刷データ取得部１１０は、ＰＯＳ端末２０から、商品情報データに基づいて生成されたレシート印刷データを取得する。
【００５４】
証明書印刷データ生成部１１１は、有効化メッセージを取得した場合、管理型プリペイドカードＣが有効化されたことを証明する有効化証明書を発行するための有効化証明書印刷データを生成する。同様に、無効化メッセージを取得した場合、管理型プリペイドカードＣが無効化されたことを証明する無効化証明書を発行するための無効化証明書印刷データを生成する。
【００５５】
印刷データ合成部１１２は、レシート印刷データ取得部１１０により取得したレシート印刷データと、証明書印刷データ生成部１１１により生成された証明書印刷データと、を合成する。なお、有効化メッセージを取得した場合は、購入時の精算結果を示す会計レシートＲ１（以下、「精算レシートＲ１」と称する）のレシート印刷データと、有効化証明書Ｒ２の証明書印刷データと、を合成する。また、無効化メッセージを取得した場合は、返品結果を示す会計レシート（以下、「返品レシート」と称する，図示省略）のレシート印刷データと、無効化証明書（図示省略）の証明書印刷データと、を合成する。
【００５６】
印刷データ出力部１１３は、管理型プリペイドカードＣを含む商品が購入された場合、精算レシートＲ１のレシート印刷データと、有効化証明書Ｒ２の証明書印刷データと、を合成した合成印刷データを、プリンター本体１１に出力する。また、管理型プリペイドカードＣを含む商品が返品された場合、返品レシートのレシート印刷データと、無効化証明書の証明書印刷データと、を合成した合成印刷データを、プリンター本体１１に出力する。なお、購入商品または返品商品に管理型プリペイドカードＣが含まれない場合は、レシート印刷データのみを、プリンター本体１１に出力する。プリンター本体１１は、合成印刷データまたはレシート印刷データを取得し、各種レシートＲを発行する。
【００５７】
次に、図３および図４を参照し、各種レシートＲについて説明する。図３（ａ）は、精算レシートＲ１の一例を示す図である。同図に示すように、精算レシートＲ１には、領収書である旨、会計日付、精算内容などが印刷される。なお、返品レシートについては、特に図示しないが、領収書である旨の印刷に代えて、返品用のレシートである旨が印刷される。
【００５８】
図３（ｂ）は、有効化証明書Ｒ２の一例を示す図である。同図に示すように、有効化証明書Ｒ２には、有効化証明書である旨、管理型プリペイドカードＣの商品名、商品コード、シリアル番号、有効価格（額面価格）、有効期限などが印刷される。これら各項目の内容については、バーコードスキャナー４０から取得した商品情報から特定しても良いし、有効化サーバー６０から取得した有効化メッセージから特定しても良い。なお、無効化証明書については、特に図示しないが、有効化証明書である旨の印刷に代えて、無効化証明書である旨が印刷される。
【００５９】
図４は、精算レシートＲ１のレシート印刷データと、有効化証明書Ｒ２の証明書印刷データと、を合成した合成印刷データに基づく合成レシートＲ３の一例を示す図である。本実施形態では、有効化証明書Ｒ２の証明書印刷データを生成した後、レシート印刷データを取得する構成であるため、バッファ８４内に証明書印刷データを一時的に格納しておき、レシート印刷データの取得後、当該レシート印刷データ（符号Ｅ１参照）の後に証明書印刷データ（符号Ｅ２参照）を付加して印刷することで、合成レシートＲ３を発行する。なお、特に図示しないが、返品レシートと無効化証明書についても、合成レシートとして発行される。
【００６０】
次に、図５ないし図７のフローチャートを参照し、装着ボード１２を主体としたプリペイドカード処理について説明する。なお、以下の説明では、装着ボード１２からの有効化要求および無効化要求に対し、有効化サーバー６０は全て承認するものとする。装着ボード１２（制御部７４）は、バーコードスキャナー４０からスキャナーデータ（商品バーコードの読み取り結果）を取得すると（Ｓ０１）、これが返品コードであるか否かを判別する（Ｓ０２）。ここで、返品コードでないと判別した場合は（Ｓ０２：Ｎｏ）、管理型プリペイドカードＣのスキャナーデータ（商品情報）であるか否かを判別する（Ｓ０３）。つまり、スキャナーデータ内の商品コードが、カード情報データベース７５に記憶されているか否かを判別する。
【００６１】
Ｓ０３において、管理型プリペイドカードＣのスキャナーデータであると判別した場合は（Ｓ０３：Ｙｅｓ）、有効化サーバー６０に対し、商品情報および有効化要求を送信する（Ｓ０４）。その後、有効化サーバー６０から有効化メッセージを受信すると（Ｓ０５）、有効化証明書印刷データを生成し、バッファ８４内に一時記憶する（Ｓ０６）。なお、フローチャートには特に図示しないが、この時点でＬＥＤ７６を点灯する。また、有効化証明書印刷データの生成後、Ｓ０１にて取得した商品情報を、ＰＯＳ端末２０が受付可能な商品情報データに変換し（Ｓ０７）、当該商品情報データをＰＯＳ端末２０に出力する（Ｓ０８）。また、取得した商品情報が、管理型プリペイドカードＣのものでないと判別した場合は（Ｓ０３：Ｎｏ）、商品情報を商品情報データに変換し（Ｓ０７，バーコードスキャナー４０以外の商品情報入力装置から商品情報を取得した場合）、変換後の商品データ、または商品情報そのもの（バーコードスキャナー４０から１６bitの商品コードを取得した場合）を、ＰＯＳ端末２０に出力する（Ｓ０８）。
【００６２】
一方、Ｓ０２において、取得したスキャナーデータが返品コードであると判別した場合は（Ｓ０２：Ｙｅｓ）、図６に示すように、バーコードスキャナー４０から商品情報を取得し（Ｓ１１）、当該商品情報が管理型プリペイドカードＣのものであるか否かを判別する（Ｓ１２）。ここで、管理型プリペイドカードＣの商品情報であると判別した場合は（Ｓ１２：Ｙｅｓ）、有効化サーバー６０に対し、商品情報および無効化要求を送信する（Ｓ１３）。その後、有効化サーバー６０から無効化メッセージを受信すると（Ｓ１４）、無効化証明書印刷データを生成し、バッファ８４内に一時記憶する（Ｓ１５）。また、無効化証明書印刷データの生成後、Ｓ１１にて取得した商品情報を、ＰＯＳ端末２０が受付可能な商品情報データに変換し（Ｓ１６）、当該商品情報データを、返品コードと共にＰＯＳ端末２０に出力する（Ｓ１７）。ＰＯＳ端末２０は、当該返品コードおよび商品情報データに基づいて、返品レシートを印刷するためのレシート印刷データを生成する。また、取得した商品情報が、管理型プリペイドカードＣのものでないと判別した場合は（Ｓ１２：Ｎｏ）、必要に応じて商品情報を商品情報データに変換し（Ｓ１６）、変換後の商品データまたは商品情報そのものを、返品コードと共にＰＯＳ端末２０に出力する（Ｓ１７）。
【００６３】
続いて、図７に示すように、Ｓ０８またはＳ１７の後、ＰＯＳ端末２０からレシート印刷データを取得すると（Ｓ２１）、バッファ８４内に証明書印刷データが記憶されているか否かを判別し（Ｓ２２）、記憶されている場合は（Ｓ２２：Ｙｅｓ）、取得したレシート印刷データと、バッファ８４から読み出した証明書印刷データと、を合成し（Ｓ２３）、プリンター本体１１に対して、合成印刷データを出力する（Ｓ２４）。また、バッファ８４内に証明書印刷データが記憶されていない場合は（Ｓ２２：Ｎｏ）、プリンター本体１１に対し、Ｓ２１で取得したレシート印刷データのみを出力する（Ｓ２５）。
【００６４】
以上説明したとおり、本実施形態に係る会計システムＳＹによれば、レシートプリンター１０に装着ボード１２を装着することで、有効化サーバー６０に対する有効化要求処理を実現できる。これにより、ＰＯＳ端末２０やＰＯＳアプリケーション２１の変更を必要とすることなく、また、プリンター本体１１のファームウェアを変更することなく、低コストで、管理型プリペイドカードＣの処理システムを導入することができる。また、プリペイドカード処理を装着ボード１２で実現するため、プリペイドカード処理装置を設置するための設置面積を必要とせず、省スペース化を図ることができる。また、装着ボード１２は、管理型プリペイドカードＣの商品情報を、ＰＯＳ端末２０が解釈可能な商品情報データに変換する変換機能を有しているため、３２bitの情報を認識不能なＰＯＳ端末２０であっても、対応することができる。また、当該変換機能により、バーコードスキャナー４０以外の商品情報入力装置からも商品情報を入力して、汎用性を高めることができる。
【００６５】
また、本実施形態に係る会計システムＳＹは、有効化を確認した後、商品情報データをＰＯＳ端末２０に出力するため、仮に管理型プリペイドカードＣの有効化が認証されなかった場合、当該管理型プリペイドカードＣの会計処理を取り消すなど、先にＰＯＳ端末２０による会計処理を行った場合に想定される不具合がない。また、有効化メッセージまたは無効化メッセージの取得により、有効化証明書Ｒ２または無効化証明書を発行するため、顧客に対し、明確に管理型プリペイドカードＣの有効化または無効化を証明することができる。
【００６６】
なお、上記の実施形態では、レシート印刷データと証明書印刷データを合成し、１枚の合成レシートとして発行したが、それぞれ会計レシート、有効化／無効化証明書として個別に発行しても良い。この場合、バッファ８４に、証明書印刷データを一時記憶する必要がない。
【００６７】
また、合成レシートとして発行するか、個別に発行するかに拘らず、証明書印刷データを、レシート印刷データに対して強調印刷しても良い。この構成によれば、顧客に対し、重要な情報である、有効化／無効化証明書の確認を促すことができる。なお、「強調して印刷する」とは、太字印刷、カラー印刷、下線付き印刷、囲み枠付印刷など、所定の文字飾りを施したり、証明書印刷データの印刷領域に装飾を施したりすることである。
【００６８】
また、会計レシートと、有効化／無効化証明書とを個別に発行する場合、いずれか一方を、プリンター本体１１（第１の印刷装置）ではなく、他のプリンター（第２の印刷装置）から発行しても良い。この場合、周辺機器用インターフェイス７２に、他のプリンターを接続する。また、印刷データ出力部１１３を、レシート印刷データ出力部と、証明書印刷データ出力部に分離し、前者は、プリンター本体１１に対してレシート印刷データを出力し、後者は、他のプリンターに対して証明書印刷データを出力する。この構成によれば、会計レシートと証明書とを別個のプリンターで発行するため、それぞれに適した印刷を行うことができる。例えば、会計レシートをモノクロ印刷し、有効化／無効化証明書をカラー印刷する、若しくは会計レシートを感熱紙に印刷し、有効化／無効化証明書をインクジェット方式にて印刷する、などが考えられる。
【００６９】
また、他のプリンターを接続する場合、証明書印刷データ出力部が、プリンター本体１１および他のプリンターの両方に対して、証明書印刷データを出力しても良い。また、この場合、プリンター本体１１からは、図４に示した合成レシートＲ３を発行し、他のプリンターからは、図８に示すギフト用の有効化証明書Ｒ４を発行しても良い。なお、ギフト用の有効化証明書Ｒ４は、プリンター本体１１から発行される有効化証明書Ｒ２（図３（ｂ）参照）と、デザイン、フォーマット、表記内容を異ならせることが好ましい。図８に示した例では、図３（ｂ）に示した有効化証明書Ｒ２と比較して、レシート搬送方向が文字の並び方向となるように、用紙方向を変更し、枠や下線などの装飾情報が付加されている。また、表記内容も、有効化日時と有効化店舗を追加した点が異なっている。このように、ギフト用の有効化証明書Ｒ４を別途発行することで、ギフト用として用いられることが多い管理型プリペイドカードＣを購入した顧客の、顧客満足度を高めることができる。
【００７０】
なお、装着ボード１２に所定の操作子を設け、操作子による操作が行われた場合のみ、プリンター本体１１および他のプリンターの両方から有効化／無効化証明書を発行する構成としても良い。また、有効化証明書の場合には、プリンター本体１１および他のプリンターの両方から発行し、無効化証明書の場合には、いずれか一方のプリンターからのみ発行する構成としても良い。
【００７１】
また、上記の実施形態において、有効化メッセージ報知部１０５は、ＬＥＤ７６の点灯によって有効化の完了を報知したが、表示装置（周辺機器用インターフェイス７２やプリンター本体１１に接続されたカスタマディスプレイなど）へのテキスト表示、ブザーによる電子音の発生などによって、有効化の完了を報知しても良い。無効化の完了についても、同様である。
【００７２】
また、上記の実施形態において、商品情報判別部１０２は、カード情報データベース７５を参照して、取得した商品情報が管理型プリペイドカードＣであるか否かを判別したが、商品情報の形式等によって管理型プリペイドカードＣであるか否かを判別しても良い。例えば、商品情報のデータ量が３２bitである場合、管理型プリペイドカードＣであると判別しても良いし、商品情報に特定の情報が含まれる場合、管理型プリペイドカードＣであると判別しても良い。このように、商品情報の形式等によって判別する場合、カード情報データベース７５を省略した構成とすることができる。
【００７３】
［第２実施形態］
次に、図９ないし図１２を参照し、本発明の第２実施形態を説明する。上記の実施形態では、有効化サーバー６０に有効化／無効化要求を行って有効化／無効化メッセージを取得した後、ＰＯＳ端末２０に商品情報データを出力してレシート印刷データを取得する構成であったが、本実施形態では、ＰＯＳ端末２０からレシート印刷データを取得した後、有効化サーバー６０に対し有効化／無効化要求を行う点で異なる。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００７４】
図９は、第２実施形態に係る装着ボード１２の機能ブロック図である。本実施形態に係る装着ボード１２は、第１実施形態と比較して、一時記憶部１２１およびレシート印刷データ判別部１２２を追加した構成となっている。
【００７５】
一時記憶部１２１は、商品情報判別部１０２により、取得した商品情報が管理型プリペイドカードＣであると判別された場合、当該商品情報を一時的に記憶するものであり、ＲＡＭ８３（図１参照）を主要部とする。商品情報としては、取得した商品情報に含まれる商品コードおよびシリアル番号と、カード情報データベース７５（プリペイドカード記憶部）から読み出した、当該商品コードに対応する商品名と、を記憶する。なお、詳細については後述するが、一時記憶部１２１は、有効化要求を行う場合に用いる有効化用記憶部と、無効化要求を行う場合に用いる無効化用記憶部と、から成る。これら有効化用記憶部と無効化用記憶部は、ＲＡＭ８３内の記憶領域によって区別される。なお、本実施形態では、ＰＯＳ端末２０から取得するレシート印刷データに、商品コードは含まれず、商品名が含まれるものとする。
【００７６】
また、レシート印刷データ判別部１２２は、レシート印刷データ取得部１１０により取得したレシート印刷データに含まれる商品情報（商品名）が、管理型プリペイドカードＣであるか否かを判別する。具体的には、取得したレシート印刷データに含まれる商品名が一時記憶部１２１に記憶されている場合、レシート印刷データに含まれる商品情報が管理型プリペイドカードＣであると判別する。
【００７７】
また、本実施形態の有効化要求部１０３は、レシート印刷データ判別部１２２により、レシート印刷データ（精算レシート）に含まれる商品情報が管理型プリペイドカードＣであると判別された場合、つまり一時記憶部１２１（有効化用記憶部）に商品情報が記憶されている場合、有効化要求を行う。同様に、本実施形態の無効化要求部１０６は、レシート印刷データ判別部１２２により、レシート印刷データ（返品レシート）に含まれる商品情報が管理型プリペイドカードＣであると判別された場合、つまり一時記憶部１２１（無効化用記憶部）に商品情報が記憶されている場合、無効化要求を行う。
【００７８】
次に、図１０ないし図１２のフローチャートを参照し、第２実施形態に係るプリペイドカード処理について説明する。装着ボード１２（制御部７４）は、バーコードスキャナー４０からスキャナーデータを取得すると（Ｓ３１）、これが返品コードであるか否かを判別する（Ｓ３２）。ここで、返品コードでないと判別した場合は（Ｓ３２：Ｎｏ）、カード情報データベース７５を参照し、管理型プリペイドカードＣのスキャナーデータ（商品情報）であるか否かを判別する（Ｓ３３）。
【００７９】
Ｓ３３において、管理型プリペイドカードＣのスキャナーデータであると判別した場合は（Ｓ３３：Ｙｅｓ）、商品情報（取得した商品情報に含まれる商品コードおよびシリアル番号と、これに対応する商品名）を、有効化用記憶部（一時記憶部１２１）に記憶しておく（Ｓ３４）。その後、Ｓ３１にて取得した商品情報を、ＰＯＳ端末２０が受付可能な商品情報データに変換し（Ｓ３５）、当該商品情報データをＰＯＳ端末２０に出力する（Ｓ３６）。また、取得した商品情報が、管理型プリペイドカードＣのものでないと判別した場合は（Ｓ３３：Ｎｏ）、Ｓ３４を省略する。
【００８０】
一方、Ｓ３２において、取得したスキャナーデータが返品コードであると判別した場合は（Ｓ３２：Ｙｅｓ）、図１１に示すように、バーコードスキャナー４０から商品情報を取得し（Ｓ４１）、当該商品情報が管理型プリペイドカードＣのものであるか否かを判別する（Ｓ４２）。ここで、管理型プリペイドカードＣの商品情報であると判別した場合は（Ｓ４２：Ｙｅｓ）、商品情報を、無効化用記憶部（一時記憶部１２１）に記憶しておく（Ｓ４３）。その後、Ｓ４１にて取得した商品情報を、ＰＯＳ端末２０が受付可能な商品情報データに変換し（Ｓ４４）、当該商品情報データを、返品コードと共にＰＯＳ端末２０に出力する（Ｓ４５）。また、取得した商品情報が、管理型プリペイドカードＣのものでないと判別した場合は（Ｓ４２：Ｎｏ）、Ｓ４３を省略する。
【００８１】
続いて、図１２に示すように、Ｓ３６またはＳ４５の後、ＰＯＳ端末２０からレシート印刷データを取得すると、これをバッファ８４内に一時記憶する（Ｓ５１）。その後、一時記憶部１２１に商品情報が記憶されているか否かを判別し（Ｓ５２）、記憶されている場合は、有効化サーバー６０に対し、有効化または無効化要求を行う（Ｓ５３）。つまり、有効化用記憶部に商品情報が記憶されている場合は有効化要求を行い、無効化用記憶部に商品情報が記憶されている場合は無効化要求を行う。その後、有効化サーバー６０から、有効化または無効化メッセージを取得すると（Ｓ５４）、商品情報に基づいて有効化または無効化証明書印刷データを生成し（Ｓ５５）、当該有効化または無効化証明書印刷データと、バッファ８４から読み出したレシート印刷データと、を合成し（Ｓ５６）、プリンター本体１１に対して、合成印刷データを出力する（Ｓ５７）。また、Ｓ５２において、一時記憶部１２１に商品情報が記憶されていないと判別した場合は（Ｓ５２：Ｎｏ）、プリンター本体１１に対し、バッファ８４から読み出したレシート印刷データのみを出力する（Ｓ５８）。
【００８２】
なお、フローチャートには特に図示しないが、本実施形態では、有効化サーバー６０から有効化／無効化要求に対し非認証の通知を受けた場合、既に行っている会計処理を取り消す取消処理を行う。例えば、ＰＯＳ端末２０との間で取消コードが定まっている場合は、非認証通知を受けたことをトリガとして、ＰＯＳ端末２０に取消コードを出力し、直前の会計処理を取り消す。また、非認証の通知を受けた場合、ＬＥＤ７６の点滅によりその旨を店員に通知し、店員が会計処理の取消処理を行うようにしても良い。
【００８３】
以上説明したとおり、第２実施形態に係る会計システムＳＹによれば、ＰＯＳ端末２０からレシート印刷データを取得した後、有効化サーバー６０に対する有効化要求を行うため、有効化要求処理だけ行って会計処理を行わない、といった不具合がない。これにより、例えば、ＰＯＳ端末２０とレシートプリンター１０が離れた位置に配置されている場合など、有効化された状態（いわゆる「価値ある状態」）の管理型プリペイドカードＣが会計処理前に盗難されたり紛失したりする問題を解消できる。
【００８４】
また、管理型プリペイドカードＣの商品情報を取得した場合、一時記憶部１２１に、カード情報データベース７５から読み出した商品名を一旦記憶しておき、レシート印刷データに含まれる商品名と照合するため、レシート印刷データに商品コードが含まれない場合でも、販売商品の中に管理型プリペイドカードＣが含まれることを判別できる。
【００８５】
なお、第２実施形態において、レシート印刷データ判別部１２２は、レシート印刷データに含まれる商品名が、一時記憶部１２１ではなく、カード情報データベース７５に記憶されているか否かを判別し、記憶されている場合に、商品情報が管理型プリペイドカードＣであると判別しても良い。
【００８６】
以上、第１実施形態および第２実施形態を示したが、これらの実施例によらず、会計システムＳＹのシステム構成や処理工程等について、本発明の要旨を逸脱しない範囲で、適宜変更が可能である。例えば、上記の各実施形態では、本発明のプリペイドカード処理装置を装着ボード１２により実現したが、図１３に示すように、独立した装置としても良い。この場合、プリペイドカード処理装置２００は、コントロールボックスとして、ＰＯＳ端末２０、バーコードスキャナー４０、ＬＡＮ５０およびレシートプリンター２１０とそれぞれ接続される。また、レシートプリンター２１０は、第１実施形態のプリンター本体１１として機能する。
【００８７】
また、第１実施形態のプリペイドカード処理と、第２実施形態のプリペイドカード処理とを組み合わせても良い。例えば、有効化要求については、ＰＯＳ端末２０からレシート印刷データを取得した後、有効化サーバー６０に対し有効化要求を行う構成とし、無効化要求については、有効化サーバー６０に無効化要求を行って無効化メッセージを取得した後、ＰＯＳ端末２０に商品情報データを出力してレシート印刷データを取得する構成としても良い。
【００８８】
また、上記の各実施形態に示した会計システムＳＹ（装着ボード１２）の各処理をプログラムとして提供することが可能である。また、そのプログラムを各種記録媒体（ＣＤ−ＲＯＭ、フラッシュメモリー等）に格納して提供することも可能である。すなわち、コンピューターを、会計システムＳＹ（装着ボード１２）の各構成要素として機能させるためのプログラム、およびそれを記録した記録媒体も、本発明の権利範囲に含まれるものである。
【符号の説明】
【００８９】
１０…レシートプリンター  １１…プリンター本体  １２…装着ボード  ２０…ＰＯＳ端末  ２１…ＰＯＳアプリケーション  ３０…商品情報管理サーバー  ３１…商品情報データベース  ４０…バーコードスキャナー  ５０…ＬＡＮ  ６０…有効化サーバー  ６１…管理情報データベース  ７１…ＰＯＳ用インターフェイス  ７２…周辺機器用インターフェイス  ７３…プリンター用インターフェイス  ７４…制御部  ７５…カード情報データベース  ７６…ＬＥＤ  ８１…ＣＰＵ  ８２……ＲＯＭ  ８３…ＲＡＭ  ８４…バッファ  ２００…プリペイドカード処理装置  ２１０…レシートプリンター  Ｃ…管理型プリペイドカード  Ｒ１…精算レシート  Ｒ２…有効化証明書  Ｒ３…合成レシート  Ｒ４…ギフト用有効化証明書  ＳＹ…会計システム
【図１】
0005577881.tif 000002
【図２】
0005577881.tif 000003
【図３】
0005577881.tif 000004
【図４】
0005577881.tif 000005
【図５】
0005577881.tif 000006
【図６】
0005577881.tif 000007
【図７】
0005577881.tif 000008
【図８】
0005577881.tif 000009
【図９】
0005577881.tif 000010
【図１０】
0005577881.tif 000011
【図１１】
0005577881.tif 000012
【図１２】
0005577881.tif 000013
【図１３】
0005577881.tif 000014